(57)【要約】【課題】携帯端末用スタンドが軸状部材の軸周りに回転することを防止する。【解決手段】クランパ１１を構成する一対の挟持部材２０，３０は、上記軸状部材（持ち手８）の一部が嵌合する嵌合溝２２，３２であって、スタンド１０が上記軸状部材に取り付けられる前の状態において、上記軸状部材の外周の曲率よりも小さい円弧状の嵌合溝２２，３２をそれぞれ有し、複数の軸状締結部材（ネジ１００）のうち少なくとも２つの軸状締結部材は、上記軸状部材の軸方向に相隣接するように、一対の挟持部材２０，３０に締結されており、上記一対の挟持部材の少なくとも一方（上側挟持部材２０）には、上記少なくとも２つの軸状締結部材の間の部分に、上記軸方向及び上記対向方向の両方に直交する方向に延びるスリット（上側スリット２３）が設けられている。【選択図】図３
2019021965.tif 000002
【特許請求の範囲】
【請求項１】
断面円形の軸状部材に取り付けられ、携帯端末を保持するための携帯端末用スタンドであって、
上記軸状部材を径方向に挟持するクランパと、
一端が上記クランパに固定され、他端に上記携帯端末を保持する端末保持手段が取り付けられるスタンド本体とを備え、
上記クランパは、複数の軸状締結部材で結合される一対の挟持部材からなり、
上記一対の挟持部材は、上記軸状部材の一部が嵌合する嵌合溝であって、断面が円弧状をなしかつ該円弧の曲率が、上記スタンドが上記軸状部材に取り付けられる前の状態において、上記軸状部材の外周の曲率よりも小さい嵌合溝をそれぞれ有し、
上記複数の軸状締結部材は、上記一対の挟持部材と結合した状態で、上記一対の挟持部材の対向方向に延び、
上記複数の軸状締結部材のうち少なくとも２つの軸状締結部材は、上記軸状部材の軸方向に相隣接するように、上記一対の挟持部材に締結されており、
上記一対の挟持部材の少なくとも一方には、上記軸方向に相隣接する上記少なくとも２つの軸状締結部材の間の部分に、上記軸方向及び上記対向方向の両方に直交する方向に延びるスリットが設けられていることを特徴とする携帯端末用スタンド。
【請求項２】
請求項１に記載の携帯端末用スタンドにおいて、
上記スタンド本体は、上記複数の軸状締結部材によって、上記一対の挟持部材のうち、上記少なくとも一方の挟持部材と対向する挟持部材に固定されていることを特徴とする携帯端末用スタンド。
【請求項３】
請求項１又は２に記載の携帯端末用スタンドにおいて、
上記軸状部材は、荷物を運ぶための手押し車の持ち手であり、
上記手押し車は、上記軸状部材よりも下側に上記荷物が載置される載置部を有し、
上記一対の挟持部材は、上記軸状部材を上下方向に挟持するものであり、
上記一対の挟持部材のうち下側に位置する挟持部材における下側でかつ上記載置部側の部分には、上記載置部側に向かって上側に傾斜した傾斜部が設けられていることを特徴とする携帯端末用スタンド。
【発明の詳細な説明】
【技術分野】
【０００１】
本発明は、断面円形の軸状部材に取り付けられる携帯端末用スタンドに関する技術分野に属する。
【背景技術】
【０００２】
従来より、断面円形の軸状部材に取り付けられるスタンドが知られている。
【０００３】
例えば、特許文献１には、傘を保持するための傘保持具が装備されたシャフトと、パイプ（軸状部材）の適宜部位に対して掴持する固定可能なクランパとを備え、上記クランパをシャフトに沿って移動及び任意位置にてロック可能に取り付けた傘用スタンドが開示されている。
【０００４】
この特許文献１に記載の傘用スタンドでは、クランパを構成する一対の挟持部材に形成された、パイプを挟持するための溝は、パイプの軸方向から見て、それぞれＶ字状をなしている。
【先行技術文献】
【特許文献】
【０００５】
【特許文献１】特開平１０−２５７９５７号公報
【発明の概要】
【発明が解決しようとする課題】
【０００６】
ところで、近年では、ショッピングカートや台車等の手押し車に対して、携帯端末を取り付けるための携帯端末用スタンドが求められている。これは、比較的広いフロアを有するショッピングモール等において、携帯端末に店舗内の地図を表示させることで、目的の場所に素早くたどり着くことができるようにするためである。
【０００７】
このような、携帯端末用スタンドでは、携帯端末のユーザに煩わしさを感じさせないという観点や携帯端末のスタンドからの落下防止の観点から、該スタンドをショッピングカート等の持ち手を構成する軸状部材（パイプ等）に取り付けた後、スタンドが軸状部材の軸周りに回転しないようにすることが要求されている。
【０００８】
特許文献１に記載のような、軸状部材を挟持するための溝がＶ字状をなしたものは、軸状部材と溝との接触面積が小さく、クランパが軸状部材の表面を滑って、スタンドが軸状部材の軸周りに回転してしまうおそれがある。また、特許文献１のスタンドのクランパは、該クランパにおける軸状部材の軸方向の大きさが比較的小さいことからも、スタンドが軸状部材の軸周りに回転してしまう可能性が高い。
【０００９】
クランパの溝の部分に滑り止めを設けることも考えられるが、滑り止めは、使用によって劣化するため、使い始めの頃は効果があったとしても、使い続けるうちに効果が低下してしまう。
【００１０】
本発明は、斯かる点に鑑みてなされたものであり、その目的とするところは、軸状部材に取り付けられる携帯端末用スタンドにおいて、該スタンドが軸状部材の軸周りに回転することを防止することにある。
【課題を解決するための手段】
【００１１】
上記課題を解決するために、本発明は、断面円形の軸状部材に取り付けられ、携帯端末を保持するための、携帯端末用スタンドを対象として、上記軸状部材を径方向に挟持するクランパと、一端が上記クランパに固定され、他端に上記携帯端末を保持する端末保持手段が取り付けられる上記スタンド本体とを備え、上記クランパは、複数の軸状締結部材で結合される一対の挟持部材からなり、上記一対の挟持部材は、上記軸状部材の一部が嵌合する嵌合溝であって、断面が円弧状をなしかつ該円弧の曲率が、上記スタンドが上記軸状部材に取り付けられる前の状態において、上記軸状部材の外周の曲率よりも小さい嵌合溝をそれぞれ有し、上記複数の軸状締結部材は、上記一対の挟持部材を結合した状態で、上記一対の挟持部材の対向方向に延び、上記複数の軸状締結部材のうち少なくとも２つの軸状締結部材は、上記軸状部材の軸方向に相隣接するように、上記一対の挟持部材に締結されており、上記一対の挟持部材の少なくとも一方には、上記軸方向に相隣接する上記少なくとも２つの軸状締結部材の間の部分に、上記軸方向及び上記対向方向の両方に直交する方向に延びるスリットが設けられている、構成とした。
【００１２】
この構成によると、一対の挟持部材の少なくとも一方における、軸状部材の軸方向に相隣接する少なくとも２つの軸状締結部材の間の部分に、軸状部材の軸方向及び一対の挟持部材の対向方向の両方に直交する方向に延びるスリットが形成されているため、該スリットが設けられた挟持部材は、該スリットが設けられていない場合と比較すると、軸状締結部材の延びる方向、すなわち、軸状締結部材の締結方向にしなりやすくなる。また、スタンドが軸状部材に取り付けられる前の状態において、挟持部材に設けられた嵌合溝の曲率は、軸状部材の外周の曲率よりも小さい曲率であるため、一対の挟持部材で軸状部材を挟持して、一対の挟持部材を軸状締結部材で結合したとき、つまり、スタンドを軸状部材に取り付けたときには、スリットが設けられた挟持部材が軸状締結部材の締結方向にしなって、該スリットが設けられた挟持部材の嵌合溝は、軸状部材の外周に沿うような形状に変形する。これにより、一対の挟持部材で軸状部材を挟持する力を出来る限り強くすることができるとともに、少なくともスリットが設けられた挟持部材と軸状部材との接触面積を出来る限り大きくすることができる。これらの結果、挟持部材と軸状部材との間に働く摩擦力を大きくすることができるため、スタンドが軸状部材の軸周りに回転することを防止することができる。
【００１３】
上記携帯端末用スタンドでは、上記スタンド本体は、上記複数の軸状締結部材によって、上記一対の挟持部材のうち、上記少なくとも一方の挟持部材と対向する挟持部材に固定されている、ことが望ましい。
【００１４】
この構成によると、携帯端末用スタンドの部品点数を削減することができる。また、スタンド本体のクランパに対する固定強度を向上させることができ、携帯端末用スタンドで携帯端末を適切に保持することができる。
【００１５】
上記携帯端末用スタンドの一実施形態では、上記軸状部材は、荷物を運ぶための手押し車の持ち手であり、上記手押し車は、上記軸状部材よりも下側に上記荷物が載置される載置部を有し、上記一対の挟持部材は、上記軸状部材を上下方向に挟持するものであり、上記一対の挟持部材のうち下側に位置する挟持部材における下側でかつ上記載置部側の部分には、上記載置部側に向かって上側に傾斜した傾斜部が設けられている、ことが望ましい。
【００１６】
この構成によると、軸状部材が手押し車の持ち手であるため、手押し車のユーザに煩わしさを与えないように、携帯端末用スタンドが軸状部材の軸周りに回転することを防止することが求められる。このため、軸状部材が手押し車の持ち手である場合には、携帯端末用スタンドが軸状部材の軸周りに回転することを防止することができるという効果が、より適切に発揮される。
【００１７】
また、一対の挟持部材のうち下側に位置する挟持部材には、載置部側に向かって上側に傾斜した傾斜部が設けられているため、載置部から荷物を移動させる際に、当該荷物が下側の挟持部材に引っ掛かることを防止することができる。また、荷物が下側の挟持部材に引っ掛かることが防止されれば、当該荷物が傷ついたり、破損したりすることも適切に防止することができる。
【発明の効果】
【００１８】
以上説明したように、本発明によると、一対の挟持部材の少なくとも一方における、軸状部材の軸方向に相隣接する少なくとも２つの軸状締結部材の間の部分に、軸状部材の軸方向及び一対の挟持部材の対向方向の両方に直交する方向に延びるスリットが形成されているため、スリットが設けられた挟持部材が軸状締結部材の締結方向にしなりやすくなる。これにより、一対の挟持部材で軸状部材を挟持して、該一対の挟持部材を軸状締結部材で結合したときには、スリットが設けられた挟持部材の嵌合溝が軸状部材の外周に沿うような形状に変形するため、一対の挟持部材で軸状部材を挟持する力を出来る限り強くすることができるとともに、少なくともスリットが設けられた挟持部材と軸状部材との接触面積を出来る限り大きくすることができる。これらの結果、挟持部材と軸状部材との間に働く摩擦力を大きくすることができ、スタンドが軸状部材の軸周りに回転することを防止することができる。
【図面の簡単な説明】
【００１９】
【図１】本発明の実施形態に係る携帯端末用スタンドが取り付けられたショッピングカートを示す図である。
【図２】上記携帯端末用スタンドの分解斜視図である。
【図３】上記携帯端末用スタンドを持ち手の軸方向に垂直な平面で切断した断面を、該軸方向から見た断面図である。
【図４】図２に示す使用状態の上記携帯端末用スタンドを下側から見た底面図であって、カバーが取り付けられる前の状態を示す。
【図５】端末保持装置の概略図である。
【発明を実施するための形態】
【００２０】
以下、本発明の実施形態を図面に基づいて詳細に説明する。
【００２１】
図１は、本発明の実施形態に係る携帯端末用スタンド１０（以下、単にスタンド１０という）が取り付けられたショッピングカート１を示す。
【００２２】
ショッピングカート１は、買い物カゴが載置されるカゴ枠２が、上下にそれぞれ設けられたタイプのショッピングカートである。相対的に下側に位置する下部カゴ枠３は、複数のキャスタ５が前後端に設けられる枠状の車台６に設けられている。車台６の左後部及び右後部からは、支柱７がそれぞれ立設されており、相対的に上側に位置する上部カゴ枠４は、該支柱７から車台６上面に張り出すように設けられている。尚、ショッピングカート１は、手押し車の一例である。また、上部カゴ枠４は、荷物が載置される載置部に相当する。
【００２３】
各支柱７は、上部カゴ枠４よりも上側まで延びており、該各支柱７の上端部は、左右方向に延びる持ち手８によって連結されている。つまり、持ち手８は、上部カゴ枠４よりも上側に位置する。持ち手部８は、断面円形のパイプで構成されており（図３参照）、スタンド１０は、図１に示すように、該持ち手８に取り付けられている。上側にスタンド１０に保持される携帯端末Ｔは、図１に示すように、画面が上側を向くように、スタンド１０（厳密には、後述するスタンド本体１１）に保持される。尚、持ち手８は、軸状部材の一例である。
【００２４】
次に、スタンド１０の構成について説明する。尚、以下の説明では、持ち手８の軸方向及び上下方向（後述する一対の挟持部材２０，３０の対向方向）の両方に直交する方向を前後方向といい、スタンド１０がショッピングカート１に取り付けられた状態におけるカゴ枠２側を前側、カゴ枠２とは反対側を後側という。
【００２５】
本実施形態に係るスタンド１０は、特にタブレット型の携帯端末Ｔ（スマートフォンなど）を保持するためのものであって、図２及び図３に示すように、持ち手８を径方向に挟持するクランパ１１と、一端がクランパ１１に固定され、他端に携帯端末Ｔを保持する端末保持装置５０が取り付けられるスタンド本体４０とを備えている。
【００２６】
クランパ１１は、複数（本実施形態では４つ）のネジ１００（軸状締結部材）で結合される一対の挟持部材２０，３０で構成されている。本実施形態では、一対の挟持部材２０，３０は、上下方向に対向するように配置され、持ち手８を上下方向に挟持する。以下の説明では、一対の挟持部材のうち相対的に上側に位置する挟持部材を上側挟持部材２０といい、一対の挟持部材のうち相対的に下側に位置する挟持部材を下側挟持部材３０という。尚、上側挟持部材２０と下側挟持部材３０は、ボルト単体やボルトとナットのセットで結合されていてもよい。
【００２７】
上側挟持部材２０は、樹脂で構成されており、略直方体をなしている。上側挟持部材２０の四隅には、上記複数のネジ１００が１つずつ締結される複数（本実施形態では４つ）の上側ネジ孔２１が形成されている。具体的には、上側ネジ孔２１は、前側及び後側に２つずつ形成され、前側の２つの上側ネジ孔２１及び後側の２つの上側ネジ孔２１は、それぞれ、上記軸方向に相隣接して形成されている。
【００２８】
上側挟持部材２０の下面部２０ａにおける、前後方向の中央部分には、上記軸方向に沿って延びる上側嵌合溝２２が形成されている。該上側嵌合溝２２は、持ち手８の一部が嵌合する溝であって、図２及び図３に示すように、断面円弧状に形成されている。上側嵌合溝２２の曲率は、スタンド１０が持ち手８に取り付けられていない状態では、持ち手８の外周の曲率よりも小さい一方、スタンド１０が持ち手８に取り付けられた状態では、上側挟持部材２０が、ネジ１００の延びる方向、つまり、ネジ１００の締結方向にしなることで、持ち手８の外周の曲率と略同じになるように設定されている。
【００２９】
また、上側挟持部材２０における、該上側挟持部材２０の後側の部分に設けられた２つの上側ネジ孔２１の間の部分（つまり、ネジ１００の締結後は、持ち手８の軸方向に相隣接する２つのネジ１００の間の部分）には、前後方向に延びる上側スリット２３が形成されている。上側スリット２３の前側端は、図３に示すように、上側嵌合溝２２の後側端部よりも後側に位置している。
【００３０】
下側挟持部材３０は、上側挟持部材２０と同様に、樹脂で構成されており、略直方体をなしている。下側挟持部材３０における相隣接する２つの側面の間の角部はアール状に加工されている。下側挟持部材３０の四隅には、上記複数のネジ１００が１つずつ締結される複数（本実施形態では４つ）の下側ネジ孔３１が形成されている。詳しくは、下側ネジ孔３１は、上側挟持部材２０と下側挟持部材３０とで持ち手８を上下方向に挟持したときに、上側ネジ孔２１と上下方向に連通するような位置に設けられている。より具体的には、下側ネジ孔３１は、前側及び後側に２つずつ形成され、前側の２つの下側ネジ孔３１及び後側の２つの下側ネジ孔３１は、それぞれ、上記軸方向に相隣接して形成されている。
【００３１】
下側挟持部材３０の上面部３０ａ（図）における、前後方向の中央部分には、上記軸方向に沿って延びる下側嵌合溝３２が形成されている。該下側嵌合溝３２は、持ち手８の一部が嵌合する溝であって、図３に示すように、断面円弧状に形成されている。下側嵌合溝３２の曲率は、持ち手８の外周の曲率よりも小さい曲率に設定されている。
【００３２】
下側挟持部材３０における、該下側挟持部材３０の後側の部分に設けられた２つの下側ネジ孔３１の間の部分（つまり、ネジ１００の締結後は、持ち手８の軸方向に相隣接する２つのネジ１００の間の部分）には、前後方向に延びる下側スリット３３が形成されている。下側スリット３３の前側端は、図３に示すように、下側嵌合溝３２の後側端部よりも後側に位置している。尚、下側スリット３３は、上側挟持部材２０と下側挟持部材３０とで持ち手８を上下方向に挟持したときに、上側スリット２３と上下方向に連通するような位置に設けられている。
【００３３】
下側挟持部材３０の下面部３０ｂにおける、上記軸方向の両側に位置する２つの部分は、下側挟持部材３０の他の部分よりも上記軸方向の外側に突出している。この突出した２つの部分は、後述するカバー７０をガイドするガイドレール３６としてそれぞれ機能する部分である。各ガイドレール３６は、下側挟持部材３０の後述する傾斜部３５の後側端から下面部３０ｂの後側端まで、前後方向に延びている。
【００３４】
また、下側挟持部材３０の下面部３０ｂには、図４に示すように、下側に向かって突出する突出部３４が、持ち手８の軸方向に離間して２つ形成されている。この２つの突出部３４は、スタンド本体４０の後述する２つの嵌合孔４１にそれぞれ嵌合して、スタンド本体４０の位置決めをする際のガイドとして機能する。
【００３５】
下側挟持部材３０における下側でかつ前側（つまり、スタンド１０がショッピングカート１に取り付けられた状態におけるカゴ枠２側）の部分には、前側に向かって上側に傾斜した傾斜部３５が形成されている。この傾斜部３５が形成されていることによって、例えば、上側カゴ枠３から買い物カゴを移動させる際に、該買い物カゴが下側挟持部材３０に引っ掛かることを抑制することができる。また、買い物カゴが下側挟持部材３０に引っ掛かることが抑制される結果、買い物カゴが傷ついたり、破損したりすることも適切に抑制される。
【００３６】
スタンド本体４０は、本実施形態１では、板金で構成されており、プレス加工等によって折り曲げ加工されたものである。スタンド本体４０は、図３に示すように、クランパ１１（厳密には、下側挟持部材３０）に固定される固定部４１と、端末保持装置５０を取付支持する支持部４２と、固定部４１と支持部４２とを連結する連結部４３とを有している。具体的には、固定部４１、下側挟持部材３０の下面部３０ｂに沿って後側に延び、連結部４３は、固定部４１の後側端から、上側及び下側挟持部材２０，３０の後側面に略沿って上側に延びて、上側挟持部材２０の上面よりも僅かに高い高さ位置で後側に延びた後、再び上側に向かって延びている。支持部４２は、連結部４３の上側端から前側に向かって上側に傾斜して延びている。これにより、連結部４３と支持部４２とで、図３に示すように、前側に開口するＵ字形状が形成される。
【００３７】
固定部４１は、図３及び図４に示すように、複数のネジ１００によって、下側挟持部材３０と共締めされることで、クランパ１１に固定されている。つまり、スタンド本体４０は、複数のネジ１００によって、クランパ１１に固定されている。
【００３８】
スタンド本体４０の固定部４１には、図４に示すように、下側挟持部材３０の２つの突出部３４がそれぞれ嵌合する２つの嵌合孔４４が、持ち手８の軸方向に離間して形成されている。各嵌合孔４４は、各突出部３４の形状に対応した形状をしており、本実施形態では、矩形状をなしている。
【００３９】
また、スタンド本体４０の固定部４１には、図４に示すように、２つの嵌合孔４４の間の部分に、後述するカバー７０の係合爪７３が係合する係合孔４５が形成されている。
【００４０】
支持部４２は、端末保持装置５０の後述する嵌合部５３に嵌合することによって、端末保持装置５０を取付支持する。
【００４１】
端末保持装置５０は、図３及び図５に示すように、携帯端末Ｔを収容する端末ケース５１と、端末ケース５１に収容された携帯端末Ｔを保持するための保持手段５２と、スタンド本体４０の支持部４４と嵌合する嵌合部５３とを有している。
【００４２】
端末ケース５１は、図５に示すように、略長方形状をなしかつ携帯端末Ｔが載置される載置面部５１ａと、載置面部５１ａの長手方向の一端に立設された第１ストッパ５１ｂと、載置面部５１ａの短手方向の一端に立設された第２ストッパ５１ｃとを有している。スタンド１０が持ち手８に取り付けられかつ端末保持装置５０がスタンド本体４０に取り付けられた状態において、載置面部５１ａは、図３に示すように、長手方向が支持部４４に沿って延びるようになり、前後方向に対して上下に傾斜した状態となる。また、上記の状態において、第１ストッパ５１ｂは、図３に示すように、載置面部５１ａの下端に位置するようになる。第２ストッパ５１ｃは、図２及び図５に示すように、保持手段５２の後述する爪部５２ｂと対向するように設けられている。尚、載置面部５１ａのサイズは、保持される携帯端末Ｔのサイズに合わせて設定される。
【００４３】
載置面部５１ａの長手方向の中間部分、具体的には、嵌合部５３よりも該長手方向の他端側の部分には、図２及び図３に示すように、下側に向かって凹みかつ上記短手方向に延びる凹部５１ｄが形成されている。該凹部５１ｄ内には、保持手段５２が収容されている。
【００４４】
第１ストッパ５１ｂは、図３に示すように、断面Ｌ字状をなしており、載置面部５１ａの長手方向の一端から上側に延びた後、該長手方向の他端側に向かって延びている。一方の第２ストッパ５１ｃも、第１ストッパ５１ｂと同様に、断面Ｌ字状をなしており、載置面部５１ａの短手方向の一端から上側に延びた後、該短手方向の他端側に向かって延びている。また、図５に示すように、第１ストッパ５１ｂと第２ストッパ５１ｃとは一体形成されており、具体的には、第１ストッパ５１ｂの上記短手方向の上記一端側の部分と第２ストッパ５１ｃの上記長手方向の上記一端側の部分とが一体になっている。尚、第１及び第２ストッパ５１ｂ，５１ｃの上側に延びる部分の長さは、保持される携帯端末Ｔの厚みに合わせて設定される。
【００４５】
保持手段５２は、図５に示すように、凹部５１ｄに沿って延びかつ該凹部５１ｄに沿って上記短手方向にスライド可能なスライド板５２ａと、スライド板５２ａにおける上記第２ストッパ５１ｃ側とは反対側の端部に設けられた爪部５２ｂと、スライド板５２ａを上記短手方向の上記一端側に向かって付勢するバネ部材５２ｃとを有している。詳しくは後述するが、載置面部５１ａに携帯端末Ｔを載置した後、バネ部材５２ｃの付勢力によって、保持手段５２の爪部５２ｂと第２ストッパ５１ｃとで当該携帯端末Ｔを挟持することで、携帯端末Ｔが端末保持装置５０に保持される。
【００４６】
嵌合部５３は、載置面部５１ａの下面に形成されており、図５に示すように、上記短手方向に延びている。嵌合部５３は、図３に示すように、上記長手方向（嵌合部５３の幅方向と一致）に貫通する嵌合孔５３ａを構成する。嵌合部５３の上記長手方向の上記他端側の端部には、上側に向かって突出する係止部５３ｂが設けられている。係止部５３ｂは、図３に示すように、スタンド本体４０の支持部４４が、嵌合孔５３ａに挿入されて、嵌合部５３に嵌合した状態で、支持部４２の先端と当接する。これにより、端末保持装置５０は、支持部４２の先端と係止部５３ａとが当接した状態よりも下側には移動しなくなる。
【００４７】
端末保持装置５０によって、携帯端末Ｔを保持するときには、先ず、保持手段５２のスライド板５２ａを、バネ部材５２ｃの付勢力に抗して、第２ストッパ５１ｃから離れるように移動させる。次に、携帯端末Ｔを第１ストッパ５１ｂ及び第２ストッパ５１ｃに沿うように、載置面部５１ａ上に載置させて、端末ケース５１に携帯端末Ｔをセットする。このことから、第１及び第２ストッパ５１ｂ，５１ｃは、携帯端末Ｔを端末ケース５１にセットする際にガイドとしての役割も果たしている。端末ケース５１に携帯端末Ｔをセットした後、スライド板５２ａを、バネ部材５０の付勢力によって、第２ストッパ５１ｃから近づくように移動させる。保持手段５２の爪部材５２ｂが携帯端末Ｔに当接して、爪部５２ｂと第２ストッパ５１ｃとで携帯端末Ｔが挟持されれば、携帯端末Ｔが端末保持装置５０に保持される。そして、端末保持装置５０がスタンド本体４０に取り付けられていれば、携帯端末Ｔはスタンド１０に保持された状態となる。
【００４８】
また、本実施形態に係るスタンド１０では、クランパ１１で持ち手８を掴持する（つまり、一対の挟持部材２０，３０で持ち手８を挟持する）とともに、スタンド本体４０を下側挟持部材３０に固定した後、スタンド本体４０の固定部４１の下面を、ネジ１００のネジ頭ごと下側から覆うカバー７０が設けられている。このカバー７０は、ネジ１００が故意に抜き取られることを防止するためのものである。
【００４９】
カバー７０は、図２に示すように。カバー本体７１と、カバー本体７１の幅方向の両側端部にそれぞれ設けられ、下側挟持部材３０のガイドレール３６に沿ってスライドする２つのスライド爪７２と、カバー本体７１の中央に設けられ、スタンド本体４０の固定部４１の係合孔４３と係合する係合爪７３とを有している。
【００５０】
カバー７０は、下側挟持部材３０に取り付けるときには、先ず、クランパ１１で持ち手８を挟持するとともに、スタンド本体４０を下側挟持部材３０に固定した後、係合爪７３が該カバー７０の前後方向における前側に位置するような状態で、各スライド爪７２を各ガイドレール３６に前側から係合させる。次に、各スライド爪７２が各ガイドレール３６上をスライドするように、カバー７０を後側に移動させる。このとき、係合爪７３は、スタンド本体４０の固定部４１に押圧されて、下側に僅かに撓んだ状態となる。そして、係合爪７３が、固定部４１の係合孔４３に係合すると、カバー７０の取り付けが完了する。カバー７０が、下側挟持部材３０に取り付けられた後は、係合爪７３が、固定部４１の係合孔４３の内周部に当接して、カバー７０の移動が妨げられるため、カバー７０を破壊しない限り、下側挟持部材３０からカバー７０を取り外すことができなくなる。
【００５１】
ここで、ショッピングカート１の持ち手８に取り付けられるスタンド１０には、携帯端末Ｔのユーザ（つまり、ショッピングカート１のユーザ）に煩わしさを感じさせないという観点や携帯端末Ｔのスタンド１０からの落下防止の観点から、該スタンド１０をショッピングカート１の持ち手８を構成するパイプに取り付けた後、スタンド１０が持ち手８の軸周りに回転しないようにすることが要求されている。
【００５２】
本実施形態では、上側挟持部材２０における、該上側挟持部材２０の後側の部分に配置されかつ持ち手８の軸方向に相隣接する２つのネジ１００の間の部分に、前後方向に延びる上側スリット２３を形成することで、スタンド１０が持ち手８の軸周りに回転することを防止している。
【００５３】
具体的には、上側挟持部材２０に上側スリット２３が形成されているため、該上側挟持部材２０は、上側スリット２３が設けられていない場合と比較すると、ネジ１００の延びる方向、すなわち、ネジ１００の締結方向にしなりやすくなる。スタンド１０が持ち手８に取り付けられる前の状態において、上側挟持部材２０に設けられた上側嵌合溝２２の曲率は、持ち手８の外周の曲率よりも小さい曲率であるため、上側及び下側挟持部材２０，３０で持ち手８を挟持して、上側及び下側挟持部材２０，３０をネジ１００で結合したとき、つまり、スタンド１０を持ち手８に取り付けたときには、上側挟持部材２０がネジ１００の締結方向にしなって、上側嵌合溝２２が持ち手８の外周に沿うような形状に変形する。これにより、上側及び下側挟持部材２０，３０で持ち手８を挟持する力を出来る限り強くすることができるとともに、上側挟持部材２０と持ち手８との接触面積を出来る限り大きくすることができる。これらの結果、上側挟持部材２０と持ち手８との間に働く摩擦力を大きくすることができるため、スタンド１０が持ち手８の軸周りに回転することを防止することができる。尚、図３では詳細には示してないが、実際には、上側挟持部材２０は、該上側挟持部材２０の前側端部及び後側端部が下側に変位するように、アーチ状にしなる。
【００５４】
また、仮に、スタンド１０が持ち手８に取り付けられていない状態でも、上側嵌合溝２２の曲率が、持ち手８の外周の曲率と同程度である場合、上側挟持部材２０と下側挟持部材３０とを結合した際に、上側嵌合溝２２と上側挟持部材２０の下面との間の角部が持ち手８に食い込み、持ち手８を大きく変形させてしまうおそれがある。一方で、本実施形態のように、スタンド１０が持ち手８に取り付けられていない状態では、上側嵌合溝２２の曲率は、持ち手８の外周の曲率よりも小さいため、上側嵌合溝２２と上側挟持部材２０の下面との間の角部が持ち手８に食い込むことがない。よって、スタンド１０を持ち手８に取り付けた際の、持ち手８の変形も抑制することができる。
【００５５】
さらに、本実施形態では、スタンド本体４０は、複数のネジ１００によって、クランパ１１に固定されているため、スタンド１０の部品点数を削減することができる。また、スタンド本体４０のクランパ１０に対する固定強度を向上させることができ、スタンド１０で携帯端末Ｔを適切に保持することができる。
【００５６】
また、本実施形態では、スタンド本体４０は、支持部４２と連結部４３とで前側に開口するＵ字形状が形成されているため、スタンド本体４０に上側から荷重が入力されたとしても、支持部４２及び連結部４３が撓んで、該荷重を適切に吸収することができる。これにより、スタンド本体４０に上側から荷重が入力されたとしても、クランパ１１（特に下側挟持部材３０）に、持ち手８の軸周りに回転するような力が加えられることが抑制される。この結果、スタンド１０が持ち手８の軸周りに回転することを、より効果的に、防止することができる。
【００５７】
本発明は、上記実施形態に限られるものではなく、請求の範囲の主旨を逸脱しない範囲で代用が可能である。
【００５８】
例えば、上述の実施形態では、上側挟持部材２０における、該上側挟持部材２０の後側の部分に配置されかつ持ち手８の軸方向に相隣接する２つのネジ１００の間の部分にのみ、スリット（上側スリット２３）が設けられていたが、これに限らず、上側挟持部材２０における、該上側挟持部材２０の前側の部分に配置されかつ持ち手８の軸方向に相隣接する２つのネジ１００の間の部分にも、スリットが形成されていてもよい。
【００５９】
また、上述の実施形態では、スタンド本体４０は、下側挟持部材３０の下面部３０ｂに、複数のネジ１００で固定されていたが、これに限らず、上側挟持部材２０の上面部に固定されていてもよい。この場合には、下側挟持部材３０が、ネジ１００の締結方向にしなって、下側嵌合溝３３が、持ち手８の外周に沿うような形状に変形することで、クランパ１１と持ち手８との大きな接触面積が確保される。
【００６０】
さらに、上述の実施形態では、スタンド１０をショッピングカート１に適用する場合について説明したが、これに限らず、持ち手が断面円形の軸状部材で構成された手押し車（台車など）であれば、スタンド１０を適用することができる。
【００６１】
また、上述の実施形態では、特に、タブレット型の携帯端末Ｔを対象にしたが、買い物や台車による運搬作業を行っている際に利用される携帯端末（スマートフォン以外の携帯電話など）を対象に使用してもよい。この場合は、端末保持装置５０の形状を当該携帯端末に対応させる必要がある。
【００６２】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００６３】
本発明は、断面円形の軸状部材に取り付けられ、携帯端末を保持するための携帯端末用スタンドとして有用である。
【符号の説明】
【００６４】
１    ショッピングカート（手押し車）
２    カゴ枠（手押し車の載置部）
８    持ち手（軸状部材、手押し車の持ち手）
１０  携帯端末用スタンド
１１  クランパ
２０  上側挟持部材（少なくとも一方の挟持部材）
２２  上側嵌合溝
２３  上側スリット（少なくとも一方の挟持部材に設けられたスリット）
３０  下側挟持部材（少なくとも一方の挟持部材と対向する挟持部材）
３２  下側嵌合溝
４０  スタンド本体
５０  端末保持装置
１００  ネジ（軸状締結部材）
【図１】
2019021965.tif 000003
【図２】
2019021965.tif 000004
【図３】
2019021965.tif 000005
【図４】
2019021965.tif 000006
【図５】
2019021965.tif 000007